【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
珪藻土あるいは木灰またはその混合物の灰の上に敷き詰めた第１の炭化藁灰と、
柱状に形成された木炭を中央に間隙を設けるように複数個束ねて構成され、柱状に形成された木炭が容易に固定化できないときは中央に隙間を設けるように端（粒）炭を木炭束の隙間側ではない外側を向く面にあてがって束ねて構成され、前記第１の炭化藁灰上に設けられる柱状木炭束と、
該柱状木炭束の上に平面上に敷き詰めて載置した端炭と、
該端炭の上に平面上に敷き詰めて載置した消し炭と、
該柱状木炭を覆う第２の炭化藁灰と、を含み、
前記第1の炭化藁灰は、消し炭あるいは端炭が混入した場合でも、前記消し炭、及び前記着火後に該柱状木炭を覆う第２の炭化藁灰はそれぞれ独立に、空気が入った袋に袋詰めされ、前記柱状木炭束、前記端炭それぞれ独立に、圧力を大気圧よりも低くした袋に袋詰めされ、該袋詰めされた前記第１の炭化藁灰、前記柱状木炭束、前記端炭、前記消し炭、及び該柱状木炭を覆う前記第２の炭化藁灰が下部から上部に向けてこの順番に、圧力を大気圧より低くした別の袋に袋詰めされている、
木炭セット。
【請求項２】
前記柱状木炭束は、複数の木炭片の表皮側を接触させて束ねたものである、請求項１に記載の木炭セット。
【請求項３】
炉の珪藻土あるいは木灰またはその混合物の灰を用意し、前記灰の上に敷く第１の炭化藁灰を第１の袋に袋詰めをするステップと、
複数の柱状の木炭を束ねて縛った木炭束を第２の袋に袋詰めするステップと、
端炭を第３の袋に袋詰めするステップと、
消し炭を第４の袋に袋詰めするステップと、
該柱状木炭を覆う第２の炭化藁灰を第５の袋に袋詰めするステップと、
前記第１の袋、前記第２の袋、前記第３の袋、前記第４及び前記第５の袋をこの順番で積み上げて第６の袋に袋詰めするステップと、
を含む木炭セットの製造方法。
【請求項４】
前記第６の袋は、大気圧に比べて低圧に設定され、この圧力差によって、内部に配置した前記第１の袋から前記第５の袋が前記第６の袋に挿入された順番で固定されるようにした、
請求項３に記載の木炭セットの製造方法。
【請求項５】
木炭セットと、該木炭セットを固定する保持器具とからなる木炭セット保持装置であって、
前記木炭セットは、
珪藻土あるいは木灰またはその混合物の灰の上に敷き詰めた第１の炭化藁灰と、
柱状に形成された木炭束は、中央に間隙を設けるように複数個束ねて構成され、柱状に形成された木炭が容易に固定化できないときは中央に隙間を設けるように端炭を木炭束の隙間側ではない外側を向く面にあてがって束ねて構成され、前記第１の炭化藁灰上に設けられる柱状木炭束と、
該柱状木炭束の上に平面上に敷き詰めて載置した端炭と、
該端炭の上に平面上に敷き詰めて載置した消し炭と、該柱状木炭を覆う第２の炭化藁灰と、を含み、
前記保持器具は、
前記第１の炭化藁灰中に空気を供給するために挿入される中空の第１の金枠環と、
前記第１の金枠環と略平行な平面上に設けられ、前記第１の炭化藁灰の上に配置される中空の第２の金枠環と、
前記第１の金枠環と前記第２の金枠環を所定距離隔てて接続するための金属製の脚とを備える、木炭セット保持装置。
【請求項６】
珪藻土あるいは木灰またはその混合物の灰の上に敷き詰めた第１の炭化藁灰と、柱状に形成された木炭束は中央に間隙を設けるように複数個束ねて構成され、
柱状に形成された木炭が容易に固定化できないときは中央に隙間を設けるように端炭を木炭束の隙間側ではない外側を向く面にあてがって束ねて構成され、
前記第１の炭化藁灰上に設けられる柱状木炭束と、該柱状木炭束の上に平面上に敷き詰めて載置した端炭と、該端炭の上に平面上に敷き詰めて載置した消し炭と、該柱状木炭を覆う第２の炭化藁灰とから構成される
木炭セットへの燃焼のための空気の供給方法であって、
中空の第１の金枠環を前記第１の炭化藁灰中に配置して、第１の空気供給管から空気を供給するとともに、前記第１の金枠環と略平行な平面上に、前記第１の金枠環から所定距離離れて前記第１の炭化藁灰の上に第２の金枠環を設け、前記第２の金枠環に第２の空気供給管から空気を供給するようにした、
木炭セットへの燃焼のための空気の供給方法。
【手続補正２】
【補正対象書類名】明細書
【補正対象項目名】発明の名称
【補正方法】変更
【補正の内容】
【発明の名称】木炭セット、木炭セットの製造方法、木炭セットの保持装置及び木炭セットへの燃焼のための空気の供給方法
【手続補正３】
【補正対象書類名】明細書
【補正対象項目名】０００１
【補正方法】変更
【補正の内容】
【０００１】
本発明は、木炭と端（粒）炭と消し炭及び炭化した状態の藁灰（炭化藁灰）を一つのセットとして保持する木炭セット、木炭セットのサポート器具、木炭セットの製造方法、及び木炭セットへの燃焼のための空気の供給方法に関する。
【手続補正４】
【補正対象書類名】明細書
【補正対象項目名】０００２
【補正方法】変更
【補正の内容】
【０００２】
一般に、木炭を焚く手法としては、以下のような手法がとられている。最初に消し炭に火をつけ、火を付けた消し炭から、木炭の塊よりも比較的表面積の大きい端（粒）炭に火を移す。その後、火のついた消し炭あるいは端（粒）炭を炭化藁灰の中に置いた木炭の上に載せるか、あるいは比較的カリウム成分の多い皮の部分に置いて、木炭に火を移すようにする。
そして、木炭に十分火が付いたところで炭化藁灰をかけ、期待する暖の程度に応じ火のついた木炭の一部を炭化藁灰から露出する。
炭化藁灰は、通常の白い灰と異なり、目が粗くなっており、このため炭化藁灰の中に空気が保持されるため、火のついた木炭を外部の空気から遮断するという作用を持つ。また、同時に火のついた木炭に炭化藁灰中の限られた空気を徐々に供給し、木炭の燃焼を制御する機能も持っている。そのため、炭化藁灰で囲まれた木炭はゆっくりと安定的に燃焼し、一酸化炭素の発生を抑制する効果を有する。
現在は、炭化藁灰の代わりに、珪藻土、木灰（きばい）あるいは木灰と珪藻土の混合物が灰として使用されている。これらの灰は、木炭の隙間を埋め木炭の空気と接する表面積を減少させ木炭の燃焼を押さえる。また、灰中の空気の保有分が少なく、灰の温度が低いと、火が付いた木炭も、立ち消えが起きることがある。しかし、都会では多量の木炭の販売場所も限られ、藁のみならず炭化藁灰や消し炭を入手することも難しい状況である。
【手続補正５】
【補正対象書類名】明細書
【補正対象項目名】０００３
【補正方法】変更
【補正の内容】
【０００３】
一方、木炭を室内で燃焼する機器としては、伝統的に使用されてきた堀炬燵、囲炉裏、火鉢が一般的ではあるが、現在はあまり使用されていない。希に、屋内のテーブルや机の近傍で、木炭炬燵あるいは木炭ストーブを使用することも考えられるが、このように木炭炬燵あるいは木炭ストーブを使用する場合には、その用途に適合するような木炭炬燵あるいは木炭ストーブを開発する必要がある。
また、燃料に豆炭を使用したカセットをテーブルの裏にセットしたテーブル用炬燵も販売さている。
更に、バイオマス燃料を使用するストーブもあるが、このようなストーブには、薪やペレットが使用され、木炭を利用するものは希有である。
ただし、薪ストーブで薪を燃焼させた後で、薪自体が炭化の状態にあるとき、赤熱した炭の上に木炭を追加し、木炭ストーブとして使用することは行われている。
なお、木炭を屋内で使用する場合には、特に木炭に着火するときに比較的多くの一酸化炭素が発生する。
このため、密閉した空間で木炭炬燵や木炭ストーブを使用すると、一酸化炭素中毒になる虞がある。なお、平成１３年度に施行される建築基準法第２８条２項により設置基準が示され、室内空気を２時間で一回入替可能とするように規定されている。
更に、一酸化炭素のセンサーも開発され、機械式の換気装置も設置可能であり、木炭を室内で使用する環境が整備された状況にある。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】変更
【補正の内容】
【０００５】
【特許文献１】特開２００８−６９４０５号公報
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】変更
【補正の内容】
【０００７】
現状の木炭は、コンロやバーベキュー用の炉で燃焼されて使用されるが、その際に、一般的には灰は使用されない。茶室でお茶を入れる際などに、「おすみ」で木炭を焚く場合が考えられるが、その場合には、珪藻土や木灰、あるいは珪藻土と木灰を混合した灰が使用される。
本発明は、日本の家庭が長く使用してきた木炭を簡易な方法で使用できるようにするものであり、木炭の燃焼方法も木炭の火のつけ方も知らない消費者でも、容易に木炭を使用できるようにすることを目的とする。
そして、日本間や洋間でも木炭を使用可能とし、自然エネルギーの使用量を増やし、化石燃料の使用量の削減を図る。
そこで、誰でも木炭を使用できるようにするため、それぞれ性質の違う、炭化藁灰と、長さが５〜１５ｃｍ程度の柱状木炭を複数束ねて縛った木炭の束と、木炭を作る際に出た端（粒）炭と、例えば木の枝でつくった消し炭を、木炭を燃焼させる順序で積み上げてセット化する。以後、この積み上げたセットを、「木炭セット」と呼ぶこととする。
そして、積み上げたそれぞれの要素の特性を生かすような形で袋に封入し、積み上げた順序が動かないようにして、消費者が容易に着火することができるようにした。
【手続補正１０】
【補正対象書類名】明細書
【補正対象項目名】０００８
【補正方法】変更
【補正の内容】
【０００８】
上述したように、本発明の目的は、畳敷きの日本間や絨毯敷きの洋間で使用可能な木炭ストーブや木炭炬燵に対して、容易に火を付けることができる木炭セットを提供するとともに、この木炭セットのサポート器具、木炭セットの製造方法、及び木炭セットへの燃焼のための空気の供給方法を提供することにある。
【手続補正１１】
【補正対象書類名】明細書
【補正対象項目名】０００９
【補正方法】変更
【補正の内容】
【０００９】
本願発明の木炭セットは、珪藻土あるいは木灰またはその混合物の灰の上に敷き詰めた炭化藁灰と、柱状に形成された木炭を中央に間隙を設けるように複数個束ねて構成され、柱状に形成された木炭が容易に固定化できないときは中央に隙間を設けるように端（粒）炭を木炭束の隙間側ではない外側を向く面にあてがって束ねて構成され、第１の炭化藁灰上に設けられる柱状木炭束と、該柱状木炭束の上に平面上に敷き詰めて載置した端炭と、
該端炭の上に平面上に敷き詰めて載置した消し炭と、該柱状木炭を覆う第２の炭化藁灰と、を含む。
そして、第１の炭化藁灰は、消し炭あるいは端炭が混入した場合でも、消し炭、及び該柱状木炭を覆う第２の炭化藁灰はそれぞれ独立に、空気が入った袋に袋詰めされ、柱状木炭束、端炭それぞれ独立に、圧力を大気圧よりも低くした袋に袋詰めされている。
また、該袋詰めされた第１の炭化藁灰、柱状木炭束、端炭、消し炭、及び該柱状木炭を覆う第２の炭化藁灰が下部から上部に向けてこの順番に、圧力を大気圧より低くした別の袋に袋詰めされている。
【手続補正１２】
【補正対象書類名】明細書
【補正対象項目名】００１０
【補正方法】変更
【補正の内容】
【００１０】
本発明の木炭セットの製造方法は、以下のステップａ）〜ｂ）を含む。
ａ）炉の珪藻土あるいは木灰またはその混合物の灰を用意し、前記灰の上に敷くための第１の炭化藁灰を第１の袋に袋詰めをするステップ、
ｂ）複数の柱状の木炭を束ねて縛った木炭束を第２の袋に袋詰めするステップと、
ｃ）端炭を第３の袋に袋詰めするステップ、
ｄ）消し炭を第４の袋に袋詰めするステップ、
ｅ）該柱状木炭を覆う第２の炭化藁灰を第５の袋に袋詰めするステップ、
ｆ）前記第１の袋、前記第２の袋、前記第３の袋、前記第４の袋、および前記第５の袋をこの順番で積み上げて第６の袋に袋詰めするステップ。
【手続補正１３】
【補正対象書類名】明細書
【補正対象項目名】００１１
【補正方法】変更
【補正の内容】
【００１１】
本発明の木炭セット保持装置は、木炭セットと、該木炭セットを固定する保持器具とからなる木炭セット保持装置であって、上述した木炭セットを安定に保持するために、炭化藁灰中に空気を供給するために挿入される中空の第１の金枠環と、第１の金枠環と略平行な平面上に設けられ、第１の炭化藁灰の上に配置される中空の第２の金枠環と、第１の金枠環と第２の金枠環を所定距離隔てて接続するための金属製の脚とを備える。
また、本発明の木炭セットへの燃焼のための空気の供給方法は、上記の中空の第１の金枠環を第１の炭化藁灰中に配置して、第１の空気供給管から空気を供給するとともに、第１の金枠環と略平行な平面上に、第１の金枠環から所定距離隔てて第１の炭化藁灰の上に設けられた第２の金枠環に第２の空気供給管から空気を供給するようにしている。
【手続補正１４】
【補正対象書類名】明細書
【補正対象項目名】００１２
【補正方法】変更
【補正の内容】
【００１２】
本発明によれば、上述したような方法で木炭セットを製造し、木炭セットの保持装置により木炭ストーブあるいは木炭炬燵に、安定してしかも容易に木炭セットを配置することができる。
また、２個の金枠環と２個の空気供給管により、木炭セット内の炭化藁灰に効率よく空気を送ることができるので、木炭セットの燃焼を安定的に行うことができる。
また、消し炭への着火から柱状木炭の束の内部の隙間を通した上昇気流を強めることにより、木炭の燃焼が容易になるという作用効果もある。
【手続補正１５】
【補正対象書類名】明細書
【補正対象項目名】００１３
【補正方法】変更
【補正の内容】
【００１３】
【図１】本発明の実施形態例である、木炭セットの下部から第１の炭化藁灰、木炭、端（粒）炭、消し炭、第２の炭化藁灰から構成される木炭セットの概略構成図である。
【図２】図１の木炭セットを上方から見た、２つ割り木材により形成した切り炭を束ねた木炭束の上面図である。
【図３】図１の木炭セットを上方から見た、４つ割り木材により形成された切り炭を束ねた木炭束の上面図である。
【図４】図１の木炭セットを中に入れて使う木炭ストーブの概略構成図である。
【図５】上昇熱流の方向を下方に変える傘型の板を設置した木炭ストーブの概略断面図である。
【図６】上昇熱流の方向を下方に変える傘型の板を設置した煙突付木炭ストーブの概略断面図である。
【図７】木炭ストーブや木炭炬燵の炉に木炭セットを設置する際に、空気を供給する金枠環と空気供給管の概略構成図である。
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】変更
【補正の内容】
【００１５】
以下、図面を参照して、本発明の実施の形態例を説明する。
図１は、本発明の実施の形態例（以下、「本例」ということもある）である木炭セットの概略構成図である。
図１に示すように、本例の木炭セットは、加熱すると簡単に燃えて灰になる袋１（第６の袋に対応）に、下部から炭化藁灰２（第１の炭化藁灰に対応）を封入した袋７（第１の袋に対応）、糸あるいは紐で長さが５〜１５ｃｍ程度の柱状木炭３束ねたものを封入した袋８（第２の袋に対応），端炭(粒炭)４を封入した袋９（第３の袋に対応）、消し炭５と封入した袋１０（第４の袋に対応）、及び炭化藁灰６（第２の炭化藁灰に相当）と封入した袋１１（第５の袋に対応）が重ねて配置されている。
袋１１に封入した炭化藁灰６（第２の炭化藁灰に対応）は、木炭に十分火がついたところで木炭全体を覆うための炭化藁灰である。柱状木炭３を束ねる手段としては、糸や紐以外に紙テープ、バンドルあるいは幅広のセロファンのようなものが使用可能である。
本例の木炭セットでは、順番に配置したそれぞれの構成物が入り乱れぬように、封入した順序で一つの袋１に詰めて固定化することが重要である。この順番は、そのまま木炭ストーブや木炭炬燵に木炭をセットするときの順番となる。
なお、このような順序で配列された木炭セットは、その輸送効率を上げるために、袋１に封入した構成物の性質に影響を与えないように、袋の中の圧力を大気圧より低くして袋１の体積を減少させるようにしている。
【手続補正１８】
【補正対象書類名】明細書
【補正対象項目名】００１６
【補正方法】変更
【補正の内容】
【００１６】
袋１の最下段の炭化藁灰２には、消し炭や端炭（粒炭）を混入させることもあるが、この炭化藁灰２は、束ねた複数の柱状木炭３の振動や、輸送時の他の袋から受ける圧力により、粉砕され微粒化して炭化藁灰の有する特性や効果に支障を来す虞がある。このため炭化藁灰としての特性を劣化させないように、炭化藁灰２及び炭化藁灰６を個別に空気の入った袋７及び袋１１に入れ木炭セットの構成物として木炭セット用の袋１に封入することが望ましい。
【手続補正１９】
【補正対象書類名】明細書
【補正対象項目名】００１７
【補正方法】変更
【補正の内容】
【００１７】
また、袋１に詰められた複数の柱状木炭３は、輸送時あるいはハンドリング時に、個別に動いたり、振動したりしないように紐で縛るか、あるいは上述した他の手段により束ねる必要がある。あるいは、木炭粉が飛び散らないように袋８に封入することも可能である。
また、木炭が個別に動き振動しないように縛りあるいは束ねる代わりに、袋８が膨らまない程度に袋８内の空気を抜いた状態にする、つまり、袋８内の圧力を大気圧よりも低くする。大気圧よりも圧力を下げた袋８に木炭を入れると、木炭が輸送時あるいは通常時に異臭や湿気を吸い込まないようすることができるので、有益である。また、束にした木炭を封入した袋８は、木炭セットの一つの構成物として木炭セット用の袋１に封入することができる。
【手続補正２０】
【補正対象書類名】明細書
【補正対象項目名】００１８
【補正方法】変更
【補正の内容】
【００１８】
木材から木炭を作る時、木材を割らないで作る丸炭と木材を切って使う切り炭がある。通常の切り炭は、木材を２つに割る、４つに割る、８つに割る、時には６つに割る形で木炭化される。
図２は、２つ割り切り炭の皮の部分を束の内側に向けて束ねた時の、木炭の束ね方を上から見た柱状木炭１３を示し、図３は、４つ割りした切り炭を同様に束ねた柱状木炭１５を示している。
木炭は、木炭の内部よりも、木炭の皮の部分の方が、比較的カリウムを多く含むため燃えやすい。そこで柱状木炭３を束ねあるいはまた縛るとき、柱状木炭３のそれぞれ皮の部分１２を、束ねた木炭の内側に向くように束ね、木炭間の隙間１４および１６を作るようにする。このように木炭を束ねると、柱状木炭３の上の消し炭そして端（粒）炭に火がついたとき、柱状木炭３の隙間１４及び１６で、下部から上部に向けて上昇気流が発生するため、柱状木炭３への着火が容易になる。なお木炭の下部に着火した消し炭あるいはまた端（粒）炭があると、隙間１４及び１６での上昇気流はより活発になる。
また、それぞれの木炭の形状に大きな相違がある場合は、それぞれの木炭の皮の部分を、複数の柱状丸炭の束の内側に向けて束ね、あるいは縛ることにより、柱状木炭３の皮の部分に隙間を作るようにするとよい。柱状木炭３を束ねるのが難しいときは、束ねた柱状木炭の外側の凹の部分に端（粒）炭を詰めることにより、束ねたのと同様な効果をもたらすことも可能である。
【手続補正２１】
【補正対象書類名】明細書
【補正対象項目名】００１９
【補正方法】変更
【補正の内容】
【００１９】
また、端（粒）炭４はある程度の硬度を持っているので、必ずしも袋詰めする必要はないが、ばらばらにならないように袋９に詰めて用いることが望ましい。このように袋９に入れた端（粒）炭４を袋１に入れることで、木炭セットを封入した袋１を傷つけないようにすることができるとともに、取り扱いを容易にすることができる。袋９に、袋９が膨らまない程度に、つまり、袋９内の圧力を大気圧よりも低くしてもよい。大気圧よりも圧力を下げた状態にして、端（粒）炭４を袋９に詰めることにより、木炭セットの一つの構成物として木炭セット用の袋１に封入することができる。
【手続補正２２】
【補正対象書類名】明細書
【補正対象項目名】００２０
【補正方法】変更
【補正の内容】
【００２０】
比較的柔らかな消し炭５は、輸送中やハンドリング中に、下段の複数の柱状木炭３や端（粒）炭４の振動や、外部の別の木炭セットの袋からの圧力により、粉砕される場合がある。このため、そのようなことないように、消し炭５を個別に空気の入った袋１０に詰めてから、木炭セットの一つの構成物として木炭セット用の袋１に詰めることが望ましい。
【手続補正２３】
【補正対象書類名】明細書
【補正対象項目名】００２１
【補正方法】変更
【補正の内容】
【００２１】
また、木炭セットの袋１の上部に詰めた炭化藁灰６は、束ねた複数の柱状木炭３が炉で十分に着火した後、束ねた柱状木炭３を覆うために使用される。この時、炭化藁灰６が袋１の内部に四散しないようにする必要があり、同時にこの炭化藁灰６が粉砕されないように空気を入れた袋１１の内部に詰める。そして木炭セットの一つの構成物として木炭セット用の袋１の一番上に封入する。
【手続補正２４】
【補正対象書類名】明細書
【補正対象項目名】００２２
【補正方法】変更
【補正の内容】
【００２２】
上述したように、袋１に詰めた内容物は、順番通りに図４に示す炉１７にセットできるように取り出される。このとき、袋１の上下関係を間違えないようにするため、袋１の上下に「上」「下」と記載するか、他の判別可能な印を記載するとよい。
更に、袋１のあけ口の位置を明示し、取り出し口の袋１の下部に袋１を容易に開くことのできる切り取りを設ける。そして、この切り取りから袋１を開き、袋１の下部から、炉１７の珪藻土あるいは木灰あるいはそれらの混合物の灰の上に、袋７の内容物である炭化藁灰２あるいは炭化藁灰と消し炭とまたは端（粒）炭を混ぜたものを置く。
そして、炭化藁灰２を封入した袋７の上に、袋１の内容物である束ねた複数の柱状木炭３を封入した袋８をセットし、その上に端（粒）炭４を封入した袋９を、更にその上に消し炭５を封入した袋１０、そして一番上に藁灰を封入した袋１１のそれぞれを、袋１に順次セットする。
なお、束ねた複数の柱状木炭３を中心に封入するとき、上下対称に端（粒）炭、消し炭、炭化藁灰を置くことも可能であるが、その時は袋１を開ける位置に関し上下の区別の明示は必要なく、袋１を開くための切り口を上下に設けることで対応することができる。
【手続補正２５】
【補正対象書類名】明細書
【補正対象項目名】００２３
【補正方法】変更
【補正の内容】
【００２３】
なお、煙や臭気が出ない袋や束ねるテープなどを使用しているときは、燃焼中の木炭ストーブや木炭炬燵の炉に続けて新たな木炭セットの袋を継続して設置して、燃焼を継続させることができる。
一方、煙や臭気が出る袋や束ねるテープなどを使用する場合であって、煙突のない木炭ストーブや木炭炬燵を使用する場合には、木炭セットの内容物を袋１から出し、炉１７に順次セットする必要がある。煙突のある木炭ストーブを使用している場合は、木炭セットの内容物を袋１から取り出すことなく、続けて木炭セットを袋１のまま木炭ストーブの炉に入れて燃焼を継続することができる。
【手続補正２６】
【補正対象書類名】明細書
【補正対象項目名】００２４
【補正方法】変更
【補正の内容】
【００２４】
図４〜図６は、本発明の第２の実施形態（実施例２）として示した木炭ストーブの概略構成図である。第１の実施形態として示した木炭セットを木炭ストーブや木炭炬燵にセットするとき、この木炭セットを容易に固定できる金属の円形あるいは角状の金枠環２８が必要になる。
図１に示した木炭セットは、この金枠環２８を支える金属の足３０を灰の中にセットし、金枠環２８が灰の上に出る形でセットすることで、木炭ストーブの炉内に固定される。
同時に、木炭セットの固定を確実にするため、灰中に金枠環３１をセットするようにしてもよい。また、灰の上にセットした金枠環２８を支える足３０と灰の中にセットした金枠環３１を連結することもできる。更に、それぞれの金枠環２８と３１を分離して、炉に個別にセットすることも可能である。
【手続補正２７】
【補正対象書類名】明細書
【補正対象項目名】００２５
【補正方法】変更
【補正の内容】
【００２５】
また、炉１７での木炭の着火を容易にするため、木炭ストーブや木炭炬燵内に設置した炉１７内に、炉１７及びあるいはストーブや炬燵の胴体２１の外部から空気を入れ、灰の上に出た木炭セットや、灰中に空気を供給できるようにする必要がある。
そこで図７に示すように、炉１７及び木炭ストーブ及び木炭炬燵の胴体２１に空気を送る空気供給管を通す孔を一つあるいは複数あけ、そこに空気供給管２９及び３２を通し、炉１７内に外部から空気を送るようにすることが望ましい。
灰の上にセットする中空の金枠環２８には、炉外につながる空気供給管２９から空気３３が供給される。これにより、中空の金枠環２８に一つあるいは複数あけられた孔から、必要に応じ、自然通気あるいは外部に設置された鞴で、強制的に空気３３を、木炭セットに供給することができる。
また、木炭セットを、灰の上にセットした金属環２８とあわせ、より安定的にセットすることを可能とするため、中空の金属環３１を灰の中にセットする。
この時、炭化藁灰中に通気を十分に行うことができるようにするため、空気供給管３２により、炉外部の空気３４を灰の中にセットされた金枠環３１に通気する。ここで、金枠環３１には、灰が中空の金枠環３１中にあまり入らぬようにする必要がある。このため、金枠環３１の横向き、ななめ下方あるいは下方に向いた一つあるいは複数の通気口から、灰をまきあげないように炭化藁灰中に自然通気や、鞴等を利用した緩やかな強制通気を行うようにする。これにより、束ねた複数の柱状木炭の隙間に向けて炭化藁灰中から上昇気流用の空気として空気３４を供給することができる。
【手続補正２８】
【補正対象書類名】明細書
【補正対象項目名】００２６
【補正方法】変更
【補正の内容】
【００２６】
木炭は、ゆっくり燃焼するが、この木炭の燃焼は、炭化藁灰を用いて制御することができる。このため、煙突の有無にかかわらず木炭ストーブであるいは木炭炬燵で発生した熱量を、有効に利用する必要がある。
木炭ストーブに煙突が付いていない場合は、炉１７で木炭を燃焼した結果、発生する上昇熱量２３をそのまま真っ直ぐ上に向けて排出するのではなく、木炭ストーブにかぶせた板状の傘２２あるいは平板により、上昇熱流２３の方向を下方あるいは横方向２４に方向転換をさせる。これにより、熱流の拡散を図り、熱の有効利用を行うことができる。
なお、傘状の板２２あるいは平板は、ストーブの胴体２１に、ストーブから外部に通じる穴を設けあるいは開放部を設けた複数の支え２５により支えられる。
木炭炬燵も木炭ストーブと同じ構造をとることができ、傘状の板あるいは平板の上に足をのせることが可能である。
また、煙突のある場合は上昇熱流２３を煙突１９に直接流すのではなく、木炭ストーブの胴体２１に設けられたストーブから外部に通じる穴を設けるか、あるいは開放部を設けた複数の支え２５の上に設けられた傘状の板２２あるいは平板により、一旦下方あるいは横方向２４に方向転換する。
そして、胴体２１の外側に設けた胴体２７により、熱流を煙突１９の方向に、方向を変えた熱流２６として外部に排出する。これにより、熱流経路を長くして、木炭から出る熱量の有効利用を図ることができる。
また、煙突付木炭ストーブの場合、扉１８を開き、炉１７で燃焼させた木炭の燃焼熱量を使い、料理棚２０をセットし、その上で料理をすることも可能である。
【手続補正２９】
【補正対象書類名】明細書
【補正対象項目名】００２７
【補正方法】変更
【補正の内容】
【００２７】
本発明では、消し炭に十分着火したのちは、袋の最上部に封入した炭化藁灰を使い木炭の上部を覆うことにより、木炭の燃焼を制御し、室内あるいは炬燵内の温度制御や一酸化炭素の発生を制御することが可能になる。また炭化藁灰による木炭の覆い方により温度調節を行うこともできる。
また、木炭ストーブや木炭炬燵の炉で木炭セットを燃焼したとき、燃焼した熱を有効に使うため、発生した熱流をそのまま、木炭ストーブや木炭炬燵の上部から放出するのではなく、木炭ストーブや木炭炬燵の上部に傘型の板や平板を置き、上昇流を遮り木炭ストーブや炬燵の横方向に回すことができる。
そして、熱の通り道を増やしまた熱を横方向に流すことにより、熱の有効利用を図ることも可能である。
また、木炭ストーブや木炭炬燵の炉の内部に火種が残り、そこに木炭セットを追加し継続使用するとき、継続した木炭セットの下部の炭化藁バイを利用し、最初使用していた木炭の残った種火の燃焼制御をすると同時に継続使用した新たな木炭セットへの着火に利用することもできる。
以上説明したように、本発明は、木炭を木炭セットとして一般消費者での使用を容易にし、さらにその木炭セットを使用し、畳敷き和室や洋間で、木炭ストーブや木炭炬燵の使用を可能にすることにより、日本の１次産業、２次産業及び３次産業の相乗効果を狙った新たな産業（６次産業）を構築し、発展させることが可能である。
【手続補正３０】
【補正対象書類名】明細書
【補正対象項目名】００２８
【補正方法】変更
【補正の内容】
【００２８】
１・・・木炭セットを封入した袋、２・・・炭化藁灰（第１の炭化藁灰）、３・・・束ねあるいは縛った複数の柱状木炭、４・・・端（粒）炭、５・・・消し炭、６・・・炭化藁灰（第２の炭化藁灰）、７・・・炭化藁灰（第１の炭化藁灰）を入れた袋、８・・・柱状木炭を封入した袋、９・・・端（粒）炭を封入した袋、１０・・・消し炭を封入した袋、１１・・・炭化藁灰（第２の炭化藁灰）を入れた袋、１２・・・柱状木炭の皮の部分、１３・・・２つ割りの柱状木炭、１４・・・２つ割り柱状木炭の皮の部分が面する隙間、１５・・・４つ割りの柱状木炭、１６・・・４つ割りの柱状木炭の皮の部分が面する隙間、１７・・・木炭セットをセットする炉、１８・・・木炭ストーブの扉、１９・・・木炭ストーブの煙突、２０・・・木炭ストーブ内の料理棚、２１・・・木炭ストーブ胴体、２２・・・木炭ストーブの上部にセットした傘状の板、２３・・・木炭からの上昇熱流、２４・・・傘状の板２２によって方向転換した熱流、２５・・・傘状の板の複数の支え、２６・・・煙突への熱流、２７・・・木炭ストーブの外側の胴体、２８・・・中空の金枠環、２９・・・空気供給管、３０・・・金枠環を支える足、３１・・・中空の金枠環、３２・・・空気供給管、３３・・・金枠環２８に供給される空気、３４・・・金枠環３１に供給される空気
【手続補正３１】
【補正対象書類名】図面
【補正対象項目名】図１
【補正方法】変更
【補正の内容】
【図１】
2013147625.tif 000001